【手続補正書】
【提出日】平成16年1月14日(2004.1.14)
【手続補正１】
【補正対象書類名】明細書
【補正対象項目名】全文
【補正方法】変更
【補正の内容】
【発明の名称】遊技機
【特許請求の範囲】
【請求項１】遊技領域を形成する遊技盤と、
該遊技盤上の遊技盤電装部品からの動作状況情報を中継する情報端子と、
前記遊技盤の裏面に取り付けられ、前記情報端子を板面に設けた遊技盤側情報基板と、
前記遊技盤を覆うように該遊技盤の裏面側に配設されると共に、前記情報端子を遊技機裏面に露出させる開口部を有した機構盤と、
を備えた遊技機において、
前記遊技盤の遊技盤側情報基板の取付位置には凹部が形成され、該凹部に前記遊技盤側情報基板を前記板面が少なくとも突出しないように嵌合させたことを特徴とする遊技機。
【請求項２】請求項１記載の遊技機において、
前記遊技盤側情報基板はホルダーを介して取り付けられ、該ホルダーは、前記凹部から突出することなく前記凹部に嵌合するように形成されていることを特徴とする遊技機。
【請求項３】請求項２記載の遊技機において、
前記遊技盤側情報基板及びホルダーには、前記遊技盤側情報基板を前記ホルダーへ装着した状態で、その位置にて係合する係合手段を備えたことを特徴とする遊技機。
【請求項４】請求項１〜３のいずれか記載の遊技機において、
前記機構盤には、島設備からの遊技球を貯留する上タンクと、該上タンクから遊技球払い出し口まで遊技球を誘導する誘導路とが設けられ、
前記凹部が前記誘導路よりも上部に形成され、
さらに前記機構盤には、前記誘導路と凹部に取り付けた遊技盤側情報基板との間に遊技球を遮蔽する遮蔽壁が設けられたことを特徴とする遊技機。
【発明の詳細な説明】
【０００１】
【発明の属する技術分野】
本発明はパチンコ機などの遊技機の電装部品からの動作状況情報を外部の管理装置へ中継する情報基板に関するものである。
【０００２】
【従来の技術及び発明が解決しようとする課題】
従来からパチンコ機などの遊技機には、種々な電装部品が取り付けられている。これらの電装部品には、遊技盤電装部品と枠電装部品とがある。遊技盤電装部品には、遊技盤に設けられた表示装置及び役物の制御を行う役物制御基板などがある。また、枠電装部品には、遊技盤に打ち出された遊技球の回収を行う機構盤（玉寄せと呼ばれることもある）に取り付けられた機構盤電装部品、その機構盤電装部品を制御する機構盤制御基板及び遊技機の枠に取り付けられたランプなどの電装部品がある。なお、遊技機の枠としては、前枠、機枠、遊技盤及び機構盤を取り付けるための取付枠が知られているが、これらの枠をまとめて遊技機の枠と呼ぶことにする。そして、ホールの管理装置が遊技機の遊技状況をモニタリングする必要から、遊技機には電装部品の動作状況に関する情報を中継して管理装置へ出力する情報基板が機構盤に設けられていた。
【０００３】
この情報基板には、遊技盤電装部品及び枠電装部品の情報出力端子を一緒に設けられていたので、遊技機から遊技盤を交換しても情報出力端子が変わらないから、出力する情報が限られてしまう。
【０００４】
この問題を解決するには、予め多様な機種にも対応できるように情報出力端子を余分に設けるようにすればよいが、機構盤には情報出力端子以外にも様々な部品が取り付けられていることから、広い取付面積を確保するのは困難である。また、遊技盤を交換する際に情報基板も同時に交換すればよいが、特に交換の必要のない枠電装部品の情報出力端子も変わってしまうため、無駄が多い。
【０００５】
このような問題に対して、情報基板を、遊技盤電装部品からの動作状況情報を出力する遊技盤側情報基板と、枠電装部品からの動作状況情報を出力する枠側情報基板とに分け、遊技盤側情報基板を遊技盤に、枠側情報基板を機構盤に取り付けるようにしたパチンコ機が提案されている（特開平７−３１３７０８）。
【０００６】
この提案のパチンコ機によれば、遊技盤を取り替えるだけで遊技盤側情報基板も同時に取り替えられるので、遊技盤側情報基板の大型化を防ぐことができ、基板等の設計が容易になりコストも低減する。さらには、情報出力端子が遊技盤側と枠側とに分かれたことから配線の接続も間違え難くなり、作業性が向上するといった効果もある。また、遊技盤の裏面に配置されている機構盤によって、遊技盤に取り付けられた遊技盤側情報基板が隠れることがないように、機構盤には開口部を形成し、この開口部から遊技盤側情報基板が露出するようにされている。つまり、このように機構盤に開口部を形成することで、従来通り、機構盤上から遊技盤側情報基板に係わる作業をできるようにしている。
【０００７】
しかし、上記の提案のパチンコ機では、遊技盤上の遊技盤側情報基板を機構盤上に露出させているから、開口部を必ず遊技盤側情報基板の大きさよりも大きく形成する必要がある。ところが、機構盤に大きな開口部を形成することは、機構盤の部品取付面積を減少させてしまうことになる。機構盤に設置する部品は、今後、ますます増えることが予想され、好ましくない。
【０００８】
そこで、本発明は、遊技盤側情報基板用の開口部が機構盤を占有する面積を極力減らすことで、機構盤の部品取付面積を広くすることができるパチンコ遊技機を提供することを目的とする。
【０００９】
【課題を解決するための手段、発明の実施の形態及び発明の効果】
上記の目的を達成するためになされた本発明の請求項１記載の遊技機は、遊技領域を形成する遊技盤と、該遊技盤上の遊技盤電装部品からの動作状況情報を中継する情報端子と、前記遊技盤の裏面に取り付けられ、前記情報端子を板面に設けた遊技盤側情報基板と、前記遊技盤を覆うように該遊技盤の裏面側に配設されると共に、前記情報端子を遊技機裏面に露出させる開口部を有した機構盤と、を備えた遊技機において、前記遊技盤の遊技盤側情報基板の取付位置には凹部が形成され、該凹部に前記遊技盤側情報基板を前記板面が少なくとも突出しないように嵌合させたことを特徴とする。
【００１０】
請求項１記載の遊技機によれば、遊技盤の遊技盤側情報基板の取付位置に凹部が形成され、該凹部に遊技盤側情報基板をその板面が少なくとも突出しないように嵌合させたことから、遊技盤側情報基板が遊技盤に完全に埋没し、凹部から突出する部分はなくなるか、もしくは情報端子だけとなる。
【００１１】
従って、機構盤の開口部を小さくすることができ、開口部が機構盤を占有する面積を極力減らすことで、機構盤の部品取付面積を広くできるという効果を奏する。
【００１２】
請求項２記載の発明は、請求項１記載の遊技機において、前記遊技盤側情報基板はホルダーを介して取り付けられ、該ホルダーは、前記凹部から突出することなく前記凹部に嵌合するように形成されていることを特徴とする。
【００１３】
請求項２記載の遊技機によれば、遊技盤側情報基板を遊技盤へ取り付けるには、ホルダーへ取り付けるだけで行うことができる。
このように、遊技盤側情報基板を遊技盤へ簡単に取り付けることができる。そして、ホルダーと共に遊技盤側情報基板の板面は遊技盤の凹部に埋没しているから、機構盤の開口部を小さくすることができるという効果を奏する。また、ホルダーを遊技盤に取り付けて、遊技盤を遊技者側を上にして机などに載置し、例えば、釘打ちなどの作業を行っても、ホルダーは遊技盤の凹部に突出することなく埋没しているから、遊技盤の載置面が平らであり遊技盤が揺れることもなく、種々の作業を行っても支障を来すことがない。そして、遊技盤の形成が終了した後、遊技盤側情報基盤を取り付ける際には、例えば、ホルダーへ挿入するだけで済み、従来に比べてこの段階にて遊技盤側情報基盤を取り付ける際の手間が省ける。
【００１４】
請求項３記載の発明は、請求項２記載の遊技機において、前記遊技盤側情報基板及びホルダーには、前記遊技盤側情報基板を前記ホルダーへ装着した状態で、その位置にて係合する係合手段を備えたことを特徴とする。
【００１５】
請求項３記載の発明によれば、ホルダー及び遊技盤側情報基板に係合手段を備えたことから、遊技盤側情報基板をホルダーへ装着した状態で、係合手段が係合し、遊技盤側情報基板はホルダーから引き出そうとしない限り、ホルダーから外れることはない仮止め状態にすることができる。
【００１６】
請求項４記載の発明は、請求項１〜３のいずれか記載の遊技機において、前記機構盤には、島設備からの遊技球を貯留する上タンクと、該上タンクから遊技球払い出し口まで遊技球を誘導する誘導路とが設けられ、前記凹部が前記誘導路よりも上部に形成され、さらに、前記機構盤には、前記誘導路と凹部に取り付けた遊技盤側情報基板との間に遊技球を遮蔽する遮蔽壁が設けられたことを特徴とする。
【００１７】
請求項４記載の発明によれば、誘導路及び遊技盤側情報基板の間に遮蔽壁を備えたことから、誘導路に位置する遊技球が詰まって、誘導路上で多数の遊技球が重なって盛り上がってしまい、遊技球が誘導路よりも上方の遊技盤側情報基板へ達しようとするのを遮蔽壁が遮蔽する。
【００１８】
この結果、遊技球が遊技盤側情報基板の通電部分に接触し、短絡状態を引き起こしたりすることを防ぐ効果がある。
【００１９】
【実施例】
以下に本発明の実施例の遊技機１について図面と共に説明する。
図１は、遊技機１の裏面を示す裏面図である。
【００２０】
遊技機１の裏面には、遊技領域を形成する遊技盤９と、遊技盤９に打ち出された遊技球を回収する機構盤７と、機枠３に取り付けられた図示しない前面枠へ、遊技盤９及び機構盤７を取り付けるための取付枠（ミドルフレームと呼ばれることもある）５とが設けられている。
【００２１】
遊技盤９は、図２に示すように、取付枠５の嵌合用孔６に嵌合され、図示しない固定用の金具により脱着可能に固定されている。そして、遊技盤９の上方の縁９ａの中程に凹部３１が形成されている。凹部３１には、遊技盤側情報基板３５が装着用のホルダー３３を介して装着されている。なお、凹部３１は、装着用のホルダー３３が遊技盤９へ完全に埋没するような奥行きとなるように形成されている。
【００２２】
なお、取付枠５には、後述の機構盤７の係合部品５ｂと係合する、凸部を備えた一組の係合部品５ａが設けられている。
ホルダー３３は、図３（ａ）に示すように、ほぼ矩形の平板部３４と、平板部３４の周囲に三方を囲むように立設された側面板部３７と、側面板部３７の平板部３４側の一端に対する他端に形成され、遊技盤側情報基板３５を係止するための係止部３９と、平板部３４に形成され、係止部３９と共に遊技盤側情報基板３５を挟持するためのリブ４１と、側面板部３７に形成された一対の突出部４３と、ホルダー３３を遊技盤９に固定するネジを通すためのネジ孔４５とから構成されている。さらに、ホルダー３３には、図３（ｂ）の点線で示す側面板部３７の内面４８に後述の遊技盤側情報基板３５の凹部５７と係合する凸部４９が形成されている。また、突出部４３のネジ孔４５を図３（ｃ）に示すように、タッカーの針を通すためのタッカー用孔４６にしてもよい。タッカーを用いてホルダー３３を遊技盤９に固定すれば、ネジを用いるよりも取付工程が減らすことができ、ホルダー３３を素早く固定できる。
【００２３】
遊技盤側情報基板３５は、図３（ｄ）に示すように、ほぼ矩形の基板５１と、基板５１の板面５１ａに固定された図示しない管理装置に情報を出力する１２個の情報出力端子５３と、遊技盤９の図示しない遊技盤電装部品からの情報を入力される情報入力端子５５と、基板５１の周縁に形成された凹部５７とから形成されている。なお、本実施例の情報出力端子５３は、１２個設けられているが特に１２個に限らず、遊技盤９の違いなどによる出力する情報線の数に合わせて個数を増減してもよい。
【００２４】
機構盤７は、図４に示すように、図示しない島設備からの遊技球を貯留する上タンク６１と、上タンク６１の遊技球を図示しない遊技球払い出し口へ誘導する誘導路（タンクレールと呼ばれることもある）６３と、図示しない枠電装部品からの情報を出力する情報出力端子６７を有し、遊技機１全体の電源を供給する電源部を有する枠側情報基板６５となどの周知の構成を少なくとも備えており、さらに、遊技盤９及び機構盤７を取付枠５に取り付けた際に、遊技盤側情報基板３５を遊技機１裏面に露出させる開口部６９が形成されている。開口部６９は、機構盤７の縁７ａの中程を切り欠くように形成されている。
【００２５】
また、機構盤７は、一組の係合部品５ａと嵌合孔を備えた一組の係合部品５ｂとが組合わさり形成されたヒンジにより、開閉可能に支持されている。
次に、ホルダー３３を遊技盤９に固定すると共に固定されたホルダー３３へ遊技盤側情報基板３５を装着する手順について説明する。
【００２６】
まず、ホルダー３３を図５の矢印Ａに沿うようにして、遊技盤９の凹部３１へ嵌入させる。
次に、ネジ５８を矢印Ａに示すように、突出部４３のネジ孔４５に通すと共に、凹部３１のネジ孔３２で固定する。なお、ネジ孔３２は、予め形成しておけばよい。
【００２７】
以上のようにして、ホルダー３３がネジ５８により凹部３１へ固定された様子を図６に示す。
次に、ネジ５８により固定されたホルダー３３へ遊技盤側情報基板３５を、矢印Ｂの方向から挿入する。つまり、ホルダー３３の係止部３９とリブ４１との間に遊技盤側情報基板３５を挿入する。遊技盤側情報基板３５をホルダー３３へ挿入して行くと、遊技盤側情報基板３５の凹部５７とホルダー３３の上述の凸部４９とが係合する。従って、遊技盤側情報基板３５は矢印Ｂの逆方向へ引き出そうとしない限り、ホルダー３３から外れることはない仮止め状態となる。
【００２８】
以上のようにして、遊技盤側情報基板３５がホルダー３３へ装着された様子を図７（ａ）及び（ｂ）に示す。
遊技盤側情報基板３５は、図７（ａ）に示すように、ホルダー３３に装着されると、遊技盤９の縁９ａより上方へ突出する部分がない。また、ホルダー３３は、Ｃ−Ｃ断面を表す図７（ｂ）に示すように、凹部３１に埋没し、ホルダー３３に装着された遊技盤側情報基板３５も凹部３１に埋没した状態になる。そして、遊技盤側情報基板３５の情報出力端子５３及び情報入力端子５５だけが遊技盤９から突出した状態となる。
【００２９】
また、図４に示した前述の機構盤７の開口部６９は、この突出部分よりも大きな開口になるよう形成すればよいので、従来のように遊技盤側情報基板３５全体を機構盤７上に露出させるだけの大きさにする必要がなく、小さな開口にすることができる。
【００３０】
以上のようにしてホルダー３３及び遊技盤側情報基板３５を遊技盤９に取り付けた後、図２に示すように、遊技盤９を取付枠５の嵌合用孔６へ嵌合させると、遊技盤９は枠に囲まれ、遊技盤側情報基板３５は、取付枠５により遊技盤９の縁９ａ側が遮断されることから外れなくなる。
【００３１】
以上に説明した実施例の遊技機１によれば、次のような効果を奏する。
上述したように遊技機１は、機構盤７の開口部６９を小さくすることができ、開口部６９が機構盤７を占有する面積を極力減らすことで、機構盤７の部品取付面積を広くすることができるという効果を奏する。
【００３２】
また、遊技盤側情報基板３５を遊技盤９へ取り付けるには、ホルダー３３へ挿入するだけで行うことができる。また、遊技盤９の凹部３１のホルダー３３は遊技盤９の縁９ａ側から遊技盤側情報基板３５を装着可能としており、遊技盤側情報基板３５を装着した後に遊技盤９を取付枠５に嵌合させると、遊技盤９の縁９ａは取付枠５に囲まれるので、遊技盤側情報基板３５は取付枠５に遮断されて外れなくなる。このように、遊技盤側情報基板３５を遊技盤９へ簡単に取り付けることができ、しかも、遊技盤９を取付枠５に嵌合させれば、遊技盤側情報基板３５は外れることがない。
【００３３】
また、ホルダー３３を遊技盤９に取り付けて、遊技盤９を遊技者側を上にして机などに載置し、例えば、釘打ちなどの作業を行っても、ホルダー３３は遊技盤９の凹部３１に突出することなく埋没しているから、遊技盤９の載置面が平らであり遊技盤９が揺れることもなく、種々の作業を行っても支障を来すことがない。そして、遊技盤９の形成が終了した後、遊技盤側情報基盤３５を取り付ける際には、ホルダー３３へ挿入するだけで済み、従来に比べてこの段階にて遊技盤側情報基盤３５を取り付ける際の手間が省ける。
【００３４】
また、遊技盤側情報基板３５をホルダーへ挿入すると、ホルダー３３の凸部４９と、遊技盤側情報基板３５に凹部５７とが係合し、遊技盤側情報基板３５はホルダー３３から引き出そうとしない限り、ホルダー３３から外れることはない仮止め状態とすることができる。
【００３５】
また、管理装置へ情報を出力するための情報出力線を遊技板側情報基盤３５の情報出力端子５３に装着したまま、取付枠５に取り付けられた機構盤７を開閉しても、開口部６９が縁７ａに形成されていることから、情報出力線が機構盤７に引っかかることもなく、機構盤７を開閉する際に何ら支障を来すことがない。なお、機構盤７の縁７ａに図４の点線で示す架橋部６９ａを形成することで、開口部６９を窓状に形成すると、機構盤７を開閉する際には情報出力線が架橋部６９ａに引っかかるため、支障を来すのであるが、しかし、機構盤７の剛性を増すことが可能である。
【００３６】
なお、上記実施例と請求項との対応についてまとめると、情報出力端子５３及び情報入力端子５５が情報端子に、凹部３１が凹部に、凸部４９及び凹部５７が係合手段に、各々対応する。
【００３７】
以上に本発明の実施例を説明したが、本発明はこれに限らず、更に種々なる態様にて実施してもよいことは勿論である。
例えば、遊技盤９の凹部３１は、情報出力端子５３及び情報入力端子５５が突出してしまう奥行きではなく、ホルダー３３と共に情報出力端子５３及び情報入力端子５５を含めた遊技盤側情報基板３５が完全に埋没する奥行きになるように形成してもよい。このようにすることで、さらに機構盤７の開口部６９を小さくすることが可能である。
【００３８】
また、誘導路６３に位置する遊技球が詰まって、誘導路６３上で多数の遊技球が重なって盛り上がってしまい、誘導路６３上に位置する遊技盤側情報基板３５の通電部分に接触し、短絡状態を引き起こすことが考えられる。そこで、図８に示すように、機構盤７の誘導路６３と遊技盤側情報基板３５との間に、誘導路６３の幅とほぼ同等の幅を有する遮蔽壁７１を設けてもよい。
【００３９】
遮蔽壁７１によれば、多数の遊技球７３が重なって盛り上がってしまっても、遊技球７３が遊技盤側情報基板３５に達することを防ぐことができる。
従って、誘導路６３及び遊技盤側情報基板３５の間に遮蔽壁７１を備えれば、遊技球が遊技盤側情報基板３５の通電部分に接触し、短絡状態を引き起こしたりすることを防ぐことができる。
【図面の簡単な説明】
【図１】実施例の遊技機１の裏面を示す裏面図である。
【図２】実施例の遊技機１裏面の遊技盤９をはめ込んだ取付枠５を示す裏面である。
【図３】実施例の遊技機１のホルダー３３と遊技盤側情報基板３５とを示す斜視図及び正面図である。
【図４】実施例の遊技機１裏面の機構盤７を示す裏面図である。
【図５】実施例の遊技機１のホルダー３３を遊技盤９へ取り付ける際を示す斜視図である。
【図６】実施例の遊技機１のホルダー３３に遊技盤側情報基板３５を挿入する際を示す斜視図である。
【図７】実施例の遊技機１のホルダー３３に挿入された遊技盤側情報基板３５を示し、（ａ）は正面図、（ｂ）はＣ−Ｃ断面を示す断面図である。
【図８】変形例の遊技機１裏面の機構盤７に設けられた遮蔽壁７１を示す部分裏面図である。
【符号の説明】
１・・・遊技機、３・・・機枠、５・・・取付枠、７・・・機構盤、９・・・遊技盤、３１・・・凹部、３３・・・ホルダー、３５・・・遊技盤側情報基板、４９・・・凸部、５１・・・基板、５３・・・情報出力端子、５７・・・凹部、６１・・・上タンク、６３・・・誘導路、６５・・・枠側情報基板、６９・・・開口部、７１・・・遮蔽壁